(57)【要約】【課題】施工が容易にでき且つ室内空間の使い勝手に優れる室内用間仕切り装置を提供する。【解決手段】本発明の室内用間仕切り装置１では、前側間仕切り３の上ガイド溝１５ａに上連結具７の前戸車２３を係合し、下ガイド溝１７ａに下連結具９の前戸車２３を係合してあり、後側間仕切り５の上ガイド溝１５ｂに上連結具７の後戸車２５を係合し下ガイド溝１７ｂに下連結具９の後戸車２５を係合してあり、支柱１１は支柱１１に固定した間仕切り５の戸尻側を垂直軸回りに回転自在としてあり、支持ローラ１３ａ、１３ｂは垂直軸周りに回転自在である。【選択図】      図１
2005036389.tif 000002
【特許請求の範囲】
【請求項１】
戸先側下端部に支持ローラを有する前側間仕切りパネルと、前側間仕切りパネルの後側に配置してあり且つ戸先側下端部に支持ローラを有する後側間仕切りパネルと、両間仕切りパネルを連結する上下の連結具と、前側間仕切りパネル及び後側間仕切りパネルのいずれか一方の戸尻側を固定する支柱とを備え、上下の連結具は、連結具本体と、連結具本体の前側に左右方向に間隔をおいて固定した複数の前戸車と、連結具本体の後側に左右方向に間隔をおいて固定した複数の後戸車とを有し、前側間仕切りパネルは、間仕切りパネル上部の内部に設けてあり且つ後側に開口する上ガイド溝と、間仕切りパネル下部の内部に設けてあり且つ後側に開口する下ガイド溝を有し、後側間仕切りパネルは、間仕切りパネル上部の内部に設けてあり且つ前側に開口する上ガイド溝と、間仕切りパネル下部の内部に設けてあり且つ前側に開口する下ガイド溝を有し、各ガイド溝は左右方向に設けてあり且つ溝内部に戸車の上面をガイドする上ガイド部及び戸車の下面をガイドする下ガイド部を有し、前側間仕切りパネルの上ガイド溝に上連結具の前戸車を係合し下ガイド溝に下連結具の前戸車を係合してあり、後側間仕切りパネルの上ガイド溝に上連結具の後戸車を係合し下ガイド溝に下連結具の後戸車を係合してあり、前戸車は連結具本体の左右方向の中央部よりも左右方向の一端部側に位置し、後戸車は連結具本体の左右方向の中央部よりも左右方向の他端部側に位置し、前側間仕切りパネルの上ガイド溝及び下ガイド溝の左右方向の一端部側には連結具に当接自在な前側ストッパが各々設けてあり、後側仕切りパネルの上ガイド溝及び下ガイド溝の左右方向他端部側には連結具に当接自在な後側ストッパが各々設けてあり、前側ストッパと後側ストッパとの間に連結具の前側ストッパ被当接部と後側ストッパ被当接部が位置し、支柱は支柱に固定した間仕切りパネルの戸尻側を垂直軸回りに回転自在としてあり、支持ローラは垂直軸周りに回転自在であることを特徴とする室内用間仕切り装置。
【請求項２】
支柱は、上端に設けた天井側当接部と下端に設けた床面側当接部とを有し、上下方向寸法が調節自在であることを特徴とする請求項１に記載の室内用間仕切り装置。
【発明の詳細な説明】
【０００１】
【発明の属する技術分野】
本発明は、室内用間仕切り装置に関する。
【０００２】
【従来の技術】
特許文献１には、天井に取り付けたレールに前側間仕切りパネルと後側間仕切りパネルを係合し、レールに沿って前側間仕切りパネルを移動して室内を間仕切りし、室内を仕切らない場合には、袖パネルに各間仕切りパネルを重ねておく間仕切り装置が開示されている。
【０００３】
【特許文献１】
実開平６−４４８３０号公報
【０００４】
【発明が解決しようとする課題】
しかし、従来の間仕切り装置は、間仕切りパネルの移動を案内するレールを天井に敷設する必要があるので、施工に手間がかかるという問題がある。
間仕切りパネルの設置位置は、レールが敷設してあるところに限られるとともに、室内を仕切らない場合には、袖パネルに重ねておくが、袖パネルが室内空間の一部を仕切ってしまうので、室内空間を広く使う場合に制限があるという問題がある。
そこで、本発明は、施工が容易にでき且つ室内空間の使い勝手に優れる室内用間仕切り装置の提供を目的とする。
【０００５】
【課題を解決するための手段】
請求項１に記載の発明は、戸先側下端部に支持ローラを有する前側間仕切りパネルと、前側間仕切りパネルの後側に配置してあり且つ戸先側下端部に支持ローラを有する後側間仕切りパネルと、両間仕切りパネルを連結する上下の連結具と、前側間仕切りパネル及び後側間仕切りパネルのいずれか一方の戸尻側を固定する支柱とを備え、上下の連結具は、連結具本体と、連結具本体の前側に左右方向に間隔をおいて固定した複数の前戸車と、連結具本体の後側に左右方向に間隔をおいて固定した複数の後戸車とを有し、前側間仕切りパネルは、間仕切りパネル上部の内部に設けてあり且つ後側に開口する上ガイド溝と、間仕切りパネル下部の内部に設けてあり且つ後側に開口する下ガイド溝を有し、後側間仕切りパネルは、間仕切りパネル上部の内部に設けてあり且つ前側に開口する上ガイド溝と、間仕切りパネル下部の内部に設けてあり且つ前側に開口する下ガイド溝を有し、各ガイド溝は左右方向に設けてあり且つ溝内部に戸車の上面をガイドする上ガイド部及び戸車の下面をガイドする下ガイド部を有し、前側間仕切りパネルの上ガイド溝に上連結具の前戸車を係合し下ガイド溝に下連結具の前戸車を係合してあり、後側間仕切りパネルの上ガイド溝に上連結具の後戸車を係合し下ガイド溝に下連結具の後戸車を係合してあり、前戸車は連結具本体の左右方向の中央部よりも左右方向の一端部側に位置し、後戸車は連結具本体の左右方向の中央部よりも左右方向の他端部側に位置し、前側間仕切りパネルの上ガイド溝及び下ガイド溝の左右方向の一端部側には連結具に当接自在な前側ストッパが各々設けてあり、後側仕切りパネルの上ガイド溝及び下ガイド溝の左右方向他端部側には連結具に当接自在な後側ストッパが各々設けてあり、前側ストッパと後側ストッパとの間に連結具の前側ストッパ被当接部と後側ストッパ被当接部が位置し、支柱は支柱に固定した間仕切りパネルの戸尻側を垂直軸回りに回転自在としてあり、支持ローラは垂直軸周りに回転自在であることを特徴とする。
【０００６】
この請求項１に記載の発明において、間仕切り装置を施工する場合には、室内に支柱を取り付けて、前側間仕切りパネルと後側間仕切りパネルとを上下の連結具で連結し、前側間仕切りパネルと後側間仕切りパネルのいずれか一方の戸尻側を支柱に固定する。本発明の室内用間仕切り装置は、天井や床に間仕切りパネルの移動を案内するレールを敷設する必要がないので、施工が容易である。
室内を仕切る場合には、支柱に固定した一方の間仕切りパネル（例えば、後側間仕切りパネル）に対して他方の間仕切りパネル（例えば、前側間仕切りパネル）を重ねた位置から間仕切りパネルの面に沿って引き出す。間仕切りパネルは支持ローラにより床面上を移動する。
支柱は間仕切りパネルの戸尻側を垂直軸周りに回転自在としているので、室内の仕切り方向を室内の任意の方向に設定でき、自由な角度で間仕切りパネルできるから、室内空間の使い勝手が良い。
また、支柱に固定した間仕切りパネルの戸尻側は垂直軸周りに回転自在としているとともに間仕切りパネルの支持ローラは垂直軸周りに回転自在であるから、室内を仕切らない場合には、前後の間仕切りパネルを重ねて支柱周りに回転して壁と略平行な位置に収めることができ、間仕切りパネルが室内側に突設しないので、ほとんど制限なく室内空間を広く使うことができる。
連結具は間仕切りパネルに設けた溝の内部に納められているので、前後の間仕切りパネルが重なる厚み方向の寸法を小さくでき、室内用間仕切り装置全体をコンパクトな構成にできる。また、連結具は外部から見え難いので外観がよい。
更に、支柱に固定した一方の間仕切りパネルに対して他方の間仕切りパネルが左右方向で略重ねる位置に移動すると、前側ストッパと後側ストッパとがそれぞれ連結具の被当接部に当接して移動が制限されるので、一方の間仕切りパネルと他方の間仕切りパネルとの左右方向を略揃えて重ねることができる。
請求項２に記載の発明は、請求項１に記載の発明において、支柱は、上端に設けた天井側当接部と下端に設けた床面側当接部とを有し、上下方向寸法が調節自在であることを特徴とする。
この請求項２に記載の発明は、請求項１に記載の発明と同様な作用効果を奏するとともに、支柱は天井側当接部を天井に当接し床面側当接部を床に当接させて固定するが、上下方向の寸法が調節自在であるから、床と天井との間の高さが異なる場合にも支柱の長さの異なるものを用意しなくて済む。
また、床から天井までの高さが異なる室に移設する場合にも移設が容易にできる。
【０００７】
【発明の実施の形態】
以下に、添付図面を参照して本発明の実施の形態を説明する。図１の（ａ）は図３のＡ−Ａ断面図であり、（ｂ）はＢ−Ｂ断面図であり、図２は室内用間仕切り装置の一部を断面で示した正面図であり、図３は室内用間仕切り装置による間仕切り状態を示す正面図であり、図４は間仕切り装置の収納状態を示す室内の平面図であり、図５は図１（ａ）に示す前側間仕切りパネルと後側間仕切りパネルとを左右方向で重ねた状態を示す横断面図であり、図６の（ａ）は図１（ａ）のＣ−Ｃ断面図であり、（ｂ）は（ａ）をガイド溝の開口側から見た正面図である。
本実施の形態にかかる室内用間仕切り装置１は、室内空間を仕切るものであり、前側間仕切りパネル３と、後側間仕切りパネル５と、両間仕切りパネル３、５を連結する上下の連結具７、９と、支柱１１とから構成されている。
前側間仕切りパネル３は、戸先側下端部に支持ローラ１３ａを有している。また、前側間仕切りパネル３には上部（上枠）８ａの内部に後側に開口する上ガイド溝１５ａが左右方向に設けてあり、下部（下枠）１０ａの内部にも後側に開口する下ガイド溝１７ａが左右方向に設けあり、上ガイド溝１５ａと下ガイド溝１７ａは同じ側の面に設けてある。
上ガイド溝１５ａと下ガイド溝１７ａとは、前側間仕切りパネル３の左右方向に設けてあり、それぞれ後側が開口している。また、上ガイド溝１５ａと下ガイド溝１７ａとは、それぞれの戸尻側が開口しており、前側間仕切りパネル３の戸尻側の竪枠１４を外して状態で、パネル３の戸尻側から連結具７、９を装着できるようになっている。
前側間仕切りパネル３の各ガイド溝１５ａ、１７ａ内には、後述する前戸車２３の上面を案内する上ガイド部１９ａと、前戸車２３の下面を案内する下ガイド部２１ａとが設けてある。
前側間仕切りパネル３の上ガイド溝１５ａの戸先側（左右方向の一端部側）には、上連結具７の被当接部５３に当接自在な前側ストッパ５１が設けてあり、下ガイド溝１７ａの戸先側（左右方向の一端部側）にも、下連結具９の被当接部５３に当接自在な前側ストッパ５１が設けてある。本実施の形態では、被当接部５３は戸先側にある前戸車２３である。
支持ローラ１３ａはキャスタであり、垂直軸周りに回転自在になっている。
後側間仕切りパネル５は、前側間仕切りパネル３の後側に設けてあり、前側間仕切りパネル３と同様に、上部（上枠）８ｂの内部に上ガイド溝１５ｂが設けてあり、下部（下枠）１０ｂの内部に下ガイド溝１７ｂが設けてある。後側間仕切りパネル５の上ガイド溝１５ｂと下ガイド溝１７ｂとはそれぞれ前側が開口している。また、上ガイド溝１５ｂと下ガイド溝１７ｂとは、それぞれの戸先側が開口しており、戸先側の竪枠１６を外した状態でパネル５の戸先側から連結具７、９を挿入により装着できるようになっている。
後側間仕切りパネル５の上ガイド溝１５ｂと下ガイド溝１７ｂとには、それぞれ前側間仕切りパネル３と同様に上ガイド部１９ｂと下ガイド部２１ｂとが設けられて、後戸車２５の移動を案内するようになっている。後側間仕切りパネル５の上ガイド溝１５ａの戸尻側（左右方向の他端部側）には、上連結具７の被当接部５５に当接自在な後側ストッパ５７が設けてあり、下ガイド溝１７ａの戸尻側（左右方向の他端部側）にも、下連結具９の被当接部５５に当接自在な後側ストッパ５７が設けてある。本実施の形態では、被当接部５５は戸尻側の後戸車２５である。
後側間仕切りパネル５にも前側間仕切りパネル３と同様に支持ローラ１３ｂが設けられている。
前側間仕切りパネル３と後側間仕切りパネル５の各上ガイド溝１５ａ、１５ｂ及び各下ガイド溝１７ａ、１７ｂは対向して設けてある。
上連結具７は、連結具本体２９と、前戸車２３と、後戸車２５とを備えている。連結具本体２９は、前側間仕切りパネル３及び後側間仕切りパネル５の上ガイド溝１５ａ、１５ｂに設けてあり、側部が溝内に収納されている。前戸車２３は連結具本体２９の左右方向の中央部Ｓ（図５参照）よりも左右方向の一端部側に位置し且つ連結具本体２９の前側に左右方向に間隔をおいて固定してあり、前側間仕切りパネル３の上ガイド溝１５ａに係合している。下連結具９は上連結具７と同じ構成であり、前戸車２３は前側間仕切りパネル３の下ガイド溝１７ａに係合している。
上連結具７の後戸車２５は連結具本体２９の左右方向の中央部Ｓよりも左右方向の他端部側に位置し且つ連結具本体２９の後方に左右方向に間隔をおいて固定してあり、後側間仕切りパネル７の上ガイド溝１５ｂに係合している。下連結具９の後側戸車２５は、連結具本体２９の後方に左右方向に間隔をおいて固定してあり、後側間仕切りパネル５の下ガイド溝１７ｂに係合している。
前側ストッパ５１は、それぞれ前側間仕切りパネル３のガイド溝１５ａ、１７ａにねじ５９で固定してあり、連結具７（又は９）側には緩衝材６１が設けられている。後側ストッパ５７は、それぞれ後側間仕切りパネル５のガイド溝１５ｂ、１７ｂにねじ５９で固定してあり、連結具７（又は９）側には緩衝材６１が設けられている。
支柱１１は、上端に設けた天井側当接部３１と、下端に設けた床面側当接部３３と、支柱本体３５とを有しており、天井側当接部３１は天井に固定してあり、床面側当接部３３は床面に固定されている。
支柱本体３５には、後側間仕切りパネル５の戸尻側が固定されている。支柱本体３５の上端は軸受け３７を挟んで天井側当接部３１に軸線周りを回転自在に連結されており、支柱本体３５の下端は軸受け３９を挟んで床面側当接部３３に軸線周りを回転自在に連結されており、支柱本体３５は天井側当接部３１と床面側当接部３３に対して回転自在になっている。
床面側当接部３３には高さ調節部４１が設けてあり、この高さ調節部４１は軸受け３９に螺合したボルト４３と、ナット４５とから構成されており、ボルト４３の頭４３ａを床面に回転自在に固定してある。高さ調節する場合には、ボルト４３を回転して床面側当接部３３の螺合位置を変えて、ナット４５で固定するようになっている。
【０００８】
次に、本実施の形態にかかる室内用間仕切り装置１の施工及び作用について説明する。室内用間仕切り装置１を施工する場合には、室内に支柱１１を取り付けて、前側間仕切りパネル３と後側間仕切りパネル５とを上下の連結具７、９で夫々連結し、前側間仕切りパネル３と後側間仕切りパネル５のいずれか一方の戸尻側を支柱に固定する。
室内の施工は支柱１１を取り付けるだけで済み、従来のようなレールを天井や床に取り付ける必要がないので、施工や移設が容易である。特に、床にレールを敷設しないので床面に凹凸ができない。
支柱１１の施工において、室内によっては床面から天井までの高さが異なる場合があるが、高さ調節部４１により高さの調節を行なうことにより、別途高さの異なる支柱１１を用意する必要がない。
前側間仕切りパネル３と後側間仕切りパネル５の連結は、前側間仕切りパネル３の戸尻側枠１４と後側間仕切りパネル５の戸先側枠１６を外して（あるいは各パネル３、５に各枠１４、１６を組付け前に）、前側間仕切りパネル３の上ガイド溝１５ａに戸尻側の開口から前戸車２３を挿入して係合し、後側間仕切りパネル５の上ガイド溝１５ｂに戸先側の開口から後戸車２５を挿入して係合することにより、上連結具７を取り付ける。同様にして、前側間仕切りパネル３の下ガイド溝１７ａに戸尻側の開口から前戸車２３を挿入し、後側間仕切りパネル５の下ガイド溝１７ｂに戸先側から後戸車２５を挿入して下連結具９を取り付ける。
上下の連結具７、９は前側間仕切りパネル３の各ガイド溝１５ａ、１７ａの戸尻側開口と、後側間仕切りパネル５の各ガイド溝１５ｂ、１７ｂの戸先側開口から溝の長手方向にスライド挿入して、前側間仕切りパネル３と後側間仕切りパネル５とに容易に係合することができ、組立が容易である。
室内を仕切る場合には、支柱１１に固定した後側間仕切りパネル５に対して前側間仕切りパネル３を重ねた位置から、引き出す。前側間仕切りパネル３には支持ローラ１３ａが設けてあるので、支持ローラ１３ａにより床面上を移動して、前側間仕切りパネル３と後側間仕切りパネル５とを左右に並べて室内を仕切ることができる。
前後の間仕切りパネル３、５は上下２箇所の連結具７、９で連結されているので、前後の間仕切りパネル同士におけるぐらつきが小さく、安定して引き出したり、戻したりでき、操作性が良い。
後側間仕切りパネル５の戸尻側を固定している支柱１１は、垂直軸周りに回転自在であるから、室内の斜め方向等の自由な角度で間仕切ることができ（図４のＭ参照）、室内空間の使い勝手が良い。
一方、室内を仕切らないで間仕切りパネル３、５を収納する場合には、前後の間仕切りパネル３、５を重ねた後、支柱１１とともに重ねた間仕切りパネル３、５を支柱１１の垂直軸周りに回転させて、壁と略平行となるように壁側に寄せる（図４のＮ参照）。各間仕切りパネル３、５は壁と略平行な位置に収めることができ、間仕切りパネル３、５が室内側に突設しないので、室内空間を広く使うことができる。
支柱１１に固定した後側間仕切りパネル５に対して前側間仕切りパネル３が左右方向で略重ねる位置に移動すると、前側ストッパ５１と後側ストッパ５７とがそれぞれ連結具７、９の被当接部５３、５５に当接して移動が制限されるので、前側間仕切りパネル３が後側間仕切りパネル５を超えて支柱側に出ることがなく、前側間仕切りパネル３と後側間仕切りパネル５との左右方向を略揃えて重ねることができる。
上下の連結具７、９は間仕切りパネルの対向した上下のガイド溝１５ａ、１５ｂ、１７ａ、１７ｂの内部に納められているので、前後の間仕切りパネル３、５が重なる厚み方向の寸法を小さくでき、室内用間仕切り装置１全体をコンパクトな構成にできる。また、各連結具７、９は外部から見え難いので外観がよい。
【０００９】
本発明は、上述した実施の形態に限らず、本発明の要旨を逸脱しない範囲で種々変形可能である。
例えば、前戸車２３及び後戸車２５の数は制限されず、それぞれ３つ等いくつでもよい。
室内用間仕切り装置１は、前側間仕切りパネル３と後側間仕切りパネル５との２枚のみを備えることに限らず、更に前側間仕切りパネルや後側間仕切りパネルを設けて、合計３枚としたり、４枚としてもよく、間仕切りパネルの枚数は限定されない。
連結具７、９は上下２つに限らず、例えば、上下の連結具７、９の間に中間の連結具を設け、前間仕切りパネル３の上ガイド溝１５ａ、下ガイド溝１７ａの間及び後間仕切りパネル５の上ガイド溝１５ｂ、下ガイド溝１７ｂの間のそれぞれ中間ガイド溝を設けて３つの連結具で連結するものであってもよいし、同様にして４つの連結具で連結するものであってもよい。
前側及び後側間仕切りパネル３、５は、それぞれパネルに限らず、格子であってもよいし、棚を設けたものであってもよい。
支柱１１は後側間仕切りパネル５の戸尻側を固定することに限らず、前側間仕切りパネル３の戸尻側を固定するものであっても良い。
支柱１１を垂直軸周りに回転自在に設けることに限らず、支柱１１は回転しないで後側間仕切りパネル５の戸尻側を支柱１１に対して回転自在に支柱１１に固定するものであってもよい。
支柱１１の高さ調節部４１は、天井側当接部３１に設けるものであってもよい。
連結具７、９の被当接部５３、５５は、戸車２３、２５に限らず、連結具本体の左右側端であってもよい。
【００１０】
【発明の効果】
請求項１に記載の発明によれば、天井や床に間仕切りパネルの移動を案内するレールを敷設する必要がないので、施工が容易である。
支柱に固定した間仕切りパネルの戸尻側は垂直軸周りに回転自在としているので、間仕切りパネル方向を室内の任意の方向に設定でき、自由な角度で間仕切りパネルできるから、室内空間の使い勝手が良い。
また、支柱は間仕切りパネルの戸尻側を垂直軸周りに回転自在としているとともに間仕切りパネルの支持ローラは垂直軸周りに回転自在であるから、室内を仕切らない場合には、前後の間仕切りパネルを重ねて壁と略平行な位置に収めることができ、間仕切りパネルが室内側に突設しないので、室内空間をほとんど制限なく広く使うことができる。
連結具は間仕切りパネルに設けた溝の内部に納められているので、前後の間仕切りパネルが重なる厚み方向の寸法を小さくでき、室内用間仕切り装置全体をコンパクトな構成にできる。また、連結具は外部から見え難いので外観がよい。
支柱に固定した一方の間仕切りパネルに対して他方の間仕切りパネルが左右方向で略重ねる位置に移動すると、前側ストッパと後側ストッパとがそれぞれ連結具の被当接部に当接して移動が制限されるので、一方の間仕切りパネルと他方の間仕切りパネルとの左右方向を略揃えて重ねることができる。
請求項２に記載の発明は、請求項１に記載の発明と同様な効果を奏するとともに、支柱は上下方向の寸法が調節自在であるから、床と天井との間の高さが異なる場合にも天井側当接部を天井に当接し、床面側当接部を床に当接させて支柱の取り付けができ、支柱の長さの異なるものを用意しなくて済む。また、室内用間仕切り装置を高さの異なる室に移設する場合にも移設が容易にできる。
【図面の簡単な説明】
【図１】図３に示す室内用間仕切り装置の図であり、（ａ）は図３のＡ−Ａ断面図であり、（ｂ）はＢ−Ｂ断面図である。
【図２】室内用間仕切り装置の一部を断面で示した正面図である。
【図３】室内用間仕切り装置による間仕切り状態を示す正面図である。
【図４】間仕切り装置の収納状態を示す室内の平面図である。
【図５】図１（ａ）に示す前側間仕切りパネルと後側間仕切りパネルとを重ねた状態を示す横断面図である。
【図６】図１（ａ）のＣ−Ｃに断面図であり、（ｂ）は（ａ）に示すガイド溝の開口側から見た正面図である。
【符号の説明】
１      室内用間仕切り装置
３      前側間仕切りパネル
５      後側間仕切りパネル
７      上連結具
８ａ、８ｂ  上部
１０ａ、１０ｂ  下部
９      下連結具
１１    支柱
１３ａ、１３ｂ  支持ローラ
１５ａ、１５ｂ  上ガイド溝
１７ａ、１７ｂ  下ガイド溝
１９ａ、１９ｂ  上ガイド部
２１ａ、２１ｂ  下ガイド部
２３  前戸車
２５  後戸車
２９  連結具本体
３１  天井側当接部
３３  床面側当接部
４１  高さ調節部
５１  前側ストッパ
５３、５５  被当接部
５７  後側ストッパ
【図１】
2005036389.tif 000003
【図２】
2005036389.tif 000004
【図３】
2005036389.tif 000005
【図４】
2005036389.tif 000006
【図５】
2005036389.tif 000007
【図６】
2005036389.tif 000008